(57)【要約】【課題】コーナー材の強度を補強し、建物の変形に追随させて変位させることができる壁材の取付け構造を提供する。【解決手段】壁材の取付け構造は、建物角部１０において第１壁材２４及び第２壁材２６が交差する位置に配置されたＬ字型のコーナー材２２と、コーナー材２２の裏面に接合された補強板３０と、補強板３０に接合され、コーナー材２２を建物角部１０に対して変位可能に固定する固定部材４０と、を備えている。【選択図】図１
2018119289.tif 000002
【特許請求の範囲】
【請求項１】
建物角部において第１壁材及び第２壁材が交差する位置に配置されたＬ字型のコーナー材と、
前記コーナー材の裏面に接合された補強板と、
前記補強板に接合され、前記コーナー材を前記建物角部に対して変位可能に固定する固定部材と、
を備えた壁材の取付け構造。
【請求項２】
前記建物角部の前記第１壁材側には前記第１壁材に沿った平板状の係止片が設けられ、
前記固定部材は、前記補強板における前記第１壁材側の部分に接合された固定部と、前記固定部から延出され前記係止片に上方向から係止される引掛け部とを備え、
前記引掛け部は前記係止片に係止された状態で、前記第１壁材に沿った方向へスライド可能であり、前記第２壁材に沿った方向へ変形可能である、
請求項１に記載の壁材の取付け構造。
【請求項３】
前記係止片は前記建物角部の前記第２壁材側にも設けられ、
前記固定部材は前記補強板における前記第２壁材側の部分にも接合されており、
前記第２壁材側の部分に接合された前記固定部材の前記引掛け部は、前記第２壁材側に形成された前記係止片に係止された状態で、前記第２壁材に沿った方向へスライド可能であり、前記第１壁材に沿った方向に方向へ変形可能である、
請求項２に記載の壁材の取付け構造。
【請求項４】
前記補強板は前記コーナー材の上端部から下端部に亘って接合されている、
請求項１〜３の何れか１項に記載の壁材の取付け構造。
【発明の詳細な説明】
【技術分野】
【０００１】
本発明は、壁材の取付け構造に関する。
【背景技術】
【０００２】
下記特許文献１には、２枚の軽量気泡コンクリートパネルの端部同士を張り合わせて外壁のコーナーパネルを製造する方法が示されている。
【先行技術文献】
【特許文献】
【０００３】
【特許文献１】特開２００１−２６２７７０号公報
【発明の概要】
【発明が解決しようとする課題】
【０００４】
ところで軽量気泡コンクリートパネルには通常鉄筋が埋設されているが、この鉄筋に対するコンクリートのかぶり厚を確保してコンクリートを割れにくくするために、軽量気泡コンクリートパネルの端部はコンクリートのみで形成されていることが多い。このため、上記特許文献１のように２枚の軽量気泡コンクリートパネルの端部同士を張り合わせてコーナーパネルを製造した場合、このコーナーパネルは、鉄筋量が不足して必要な強度が確保できない可能性がある。
【０００５】
また、軽量気泡コンクリート等のコンクリート系材料で形成された壁材は金物を用いて建物躯体に固定することが多い。この金物は、地震時に壁材が損傷することを防ぐために、壁材が建物躯体の変形に対し追随して変位できるように壁材を固定する。ところが、コーナーパネルは建物躯体の２方向の変形の影響をうけるため、建物の変形に追随させて変位させることが難しい。
【０００６】
本発明は上記事実を考慮して、コーナーパネル（コーナー材）の強度を補強し、建物の変形に追随させて変位させることができる壁材の取付け構造を提供することを目的とする
【課題を解決するための手段】
【０００７】
第１態様の壁材の取付け構造は、建物角部において第１壁材及び第２壁材が交差する位置に配置されたＬ字型のコーナー材と、前記コーナー材の裏面に接合された補強板と、
前記補強板に接合され、前記コーナー材を前記建物角部に対して変位可能に固定する固定部材と、を備えている。
【０００８】
第１態様の壁材の取付け構造によると、第１壁材及び第２壁材が交差する位置に配置されたＬ字型のコーナー材の裏面が、補強板で補強されている。このため、補強板がない場合と比較して強度が大きい。また、コーナー材は建物に対して変位可能に固定されている。このため、地震時などにおける建物の変形に対しコーナー材が追随して変位できる。
【０００９】
第２態様の壁材の取付け構造は、前記建物角部の前記第１壁材側には前記第１壁材に沿った平板状の係止片が設けられ、前記固定部材は、前記補強板における前記第１壁材側の部分に接合された固定部と、前記固定部から延出され前記係止片に上方向から係止される引掛け部とを備え、前記引掛け部は前記係止片に係止された状態で、前記第１壁材に沿った方向へスライド可能であり、前記第２壁材に沿った方向へ変形可能である。
【００１０】
第２態様の壁材の取付け構造によると、コーナー材を建物に固定する固定部材における引掛け部が、建物の第１壁材に沿った方向へスライド可能であり、第２壁材に沿った方向へ変形可能である。このため、建物が地震時に第１壁材に沿った方向の水平力を受けて変形した場合、引掛け部がスライドする。また、第２壁材に沿った方向の水平力を受けて変形した場合、引掛け部が変形する。これにより、コーナー材は、建物の変形に対して追随して変位することができる。
【００１１】
第３態様の壁材の取付け構造は、前記係止片は前記建物角部の前記第２壁材側にも設けられ、前記固定部材は前記補強板における前記第２壁材側の部分にも接合されており、前記第２壁材側の部分に接合された前記固定部材の前記引掛け部は、前記第２壁材側に形成された前記係止片に係止された状態で、前記第２壁材に沿った方向へスライド可能であり、前記第１壁材に沿った方向に方向へ変形可能である。
【００１２】
第３態様の壁材の取付け構造によると、固定部材及び係止片が第１壁材側、第２壁材側のそれぞれに設けられている。建物が地震時に「第１壁材に沿った方向」の水平力を受けて変形した場合、第１壁材側の部分に接合された固定部材の引掛け部はスライドする。また、第２壁材側の部分に接合された固定部材の引掛け部は変形する。
【００１３】
一方、建物が地震時に「第２壁材に沿った方向」の水平力を受けて変形した場合、第１壁材側の部分に接合された固定部材の引掛け部は変形する。また、第２壁材側の部分に接合された固定部材の引掛け部はスライドする。
【００１４】
これにより、コーナー材は、建物の変形に対して追随して変位することができる。
【００１５】
さらに、第３態様の壁材の取付け構造によると、コーナー材が建物角部における第１壁材側、第２壁材側のそれぞれに固定される。このため、第１壁材側、第２壁材側のいずれかにしか固定されない場合と比較して、平常時における固定度が高い。
【００１６】
第４態様の壁材の取付け構造は、前記補強板は前記コーナー材の上端部から下端部に亘って接合されている。
【００１７】
第４態様の壁材の取付け構造によると、補強板がコーナー材の上端部から下端部に亘って設けられている。このため、例えば補強板がコーナー材の上端部や下端部のみに設けられている場合と比較してせん断剛性が高く、地震時に建物が水平力を受けて変形した際に、コーナー材に作用する層間せん断力に対する強度が高い。
【発明の効果】
【００１８】
第１態様の壁材の取付け構造によると、コーナー材の強度を補強し、建物の変形に追随させて変位させることができるため、地震時にコーナー材が損傷しにくい。
【００１９】
第２態様の壁材の取付け構造によると、建物が第１壁材に沿った方向の水平力を受けて変形した場合及び第２壁材に沿った方向の水平力を受けて変形した場合の何れの場合においても、コーナー材が建物の変形に対し追随して変位できるため、地震時にコーナー材が損傷しにくい。
【００２０】
第３態様の壁材の取付け構造によると、建物が第１壁材に沿った方向の水平力を受けて変形した場合及び第２壁材に沿った方向の水平力を受けて変形した場合の何れの場合においても、コーナー材が建物の変形に対し追随して変位できるため、地震時にコーナー材が損傷しにくい。さらに、平常時における固定度が高く、風雨によるがたつきなどが生じにくい。
【００２１】
第４態様の壁材の取付け構造によると、コーナー材のせん断剛性が高められているので、地震時にコーナー材が損傷しにくい。
【図面の簡単な説明】
【００２２】
【図１】（Ａ）は本実施形態に係る壁材の取付け構造が適用された建物角部を示す平面図であり、（Ｂ）はＡにおけるＢ−Ｂ線断面図である。
【図２】本実施形態に係る壁材の取付け構造におけるコーナー材の製造方法を示す図であり、（Ａ）はＡＬＣパネルの端部を斜めに切断した状態を示し、（Ｂ）は切断された端部材を互いに接着している状態を示し、（Ｃ）はコーナー材に補強板を接合している状態を示す。
【図３】（Ａ）は本実施形態に係る壁材の取付け構造におけるコーナー材、補強板、固定部材が接合された状態を示す上面図であり、（Ｂ）は側面図である。
【図４】（Ａ）は本実施形態に係る壁材の取付け構造における固定部材を示す側面図であり、（Ｂ）は正面図である。
【図５】（Ａ）は本実施形態に係る壁材の取付け構造における係止部材に固定部材を取付けている状態を示す上面図であり、（Ｂ）はＡにおけるＢ−Ｂ線断面図である。
【図６】本実施形態に係る壁材の取付け構造におけるコーナー材と補強板との接合方法の変形例を示す上面図である。
【図７】（Ａ）は本実施形態に係る壁材の取付け構造が適用された建物が変形した際にコーナーパネルが変位することを示した上面図であり、（Ｂ）は建物が（Ａ）と異なる方向に変形した際にコーナーパネルが変位することを示した上面図である。
【発明を実施するための形態】
【００２３】
（壁材の取付け構造）
本実施形態に係る壁材の取付け構造は、図１（Ａ）、（Ｂ）に示すように、建物の出隅部（建物角部１０）において、外壁２０の一部であるコーナー材２２を、建物躯体（梁１２）に固定するための構造である。
【００２４】
外壁２０は、コーナー材２２のほか、建物の一側面に沿って配置された第１壁材２４と、第１壁材２４と交わる方向（本実施形態においては直交方向）に沿って配置された第２壁材２６と、を備えている。
【００２５】
（コーナー材）
コーナー材２２は、第１壁材２４と第２壁材２６とが交差する位置に配置された略Ｌ字型の出隅役物で、コーナー材２２を建物躯体（梁１２）に固定した状態（図１参照）では、第１壁材２４の端面と第２壁材２６の端面とがそれぞれ突き付けられている。
【００２６】
コーナー材２２を製作するには、まず図２（Ａ）に示すように、ＡＬＣ（軽量気泡コンクリート）パネル２１の両端部を斜めに切断する。このとき、切断面ＥのＡＬＣパネル２１の中心線ＣＬに対する角度θ＝４５°となるように切断する。
【００２７】
次に図２（Ｂ）に示すように、切断された端部材２２Ａ、２２Ｂの切断面Ｅ同士を、ポリウレタン系等の接着剤を用いて接着する。これにより図２（Ｃ）に示すように、出隅部が略直角とされたコーナー材２２が形成される。なお、角度θを変更することで、コーナー材２２の出隅部の角度は自由に設定できる。また、出隅部には必要に応じて適宜面取りなどの加工を施してもよい。
【００２８】
（補強板）
補強板３０は、略直角に折り曲げられた鋼製のＬ字状折板であり、コーナー材２２の裏面に、ポリウレタン系の接着剤及びＡＬＣビス３２を用いて接合される。なお、「裏面」とはコーナー材２２が建物角部１０に対向する面であり、屋外に対向する化粧面とは反対側の面である。
【００２９】
補強板３０は、図３（Ａ）、（Ｂ）に示すように、コーナー材２２の裏面の全面に接着される。即ち補強板３０は、上面視（図３（Ａ））ではコーナー材２２における端部材２２Ａ、２２Ｂの接合部（入隅部）から端部材２２Ａ、２２Ｂそれぞれの端面に亘って、側面視（図３（Ｂ））では端部材２２Ａ、２２Ｂそれぞれの上端部から下端部に亘って接着される。
【００３０】
また補強板３０は、コーナー材２２における端部材２２Ａ、２２Ｂそれぞれの外側（表面側）から打ち込まれるＡＬＣビス３２によって、コーナー材２２の裏面に固定される。ＡＬＣビス３２を端部材２２Ａ、２２Ｂそれぞれの外側から打ち込むことで、端部材２２Ａ、２２Ｂの切断面（接着面）Ｅには、図３（Ａ）に示す矢印Ｐの方向に押圧する力が作用する。これにより端部材２２Ａ、２２Ｂの切断面（接着面）Ｅの接着力が高められる。
【００３１】
また、図３（Ｂ）に示すように、ＡＬＣビス３２はコーナー材２２（端部材２２Ａ、２２Ｂ）における加飾部２２Ｄの目地底から打ち込まれ、ビス頭３２Ａは、目地底に形成された座繰り穴に収容される。座繰り穴はモルタルなどによって埋め戻され、ビス頭３２Ａが埋設される。なお、加飾部２２ＤはＡＬＣパネル２１（図２（Ａ）参照）における表面の装飾模様であり、加飾部２２Ｄの目地は装飾模様において周囲よりも凹んだ部分である。
【００３２】
なお、コーナー材２２を建物躯体（梁１２）に固定した状態（図１参照）で、補強板３０におけるＬ字状のそれぞれの板片は、第１壁材２４、第２壁材２６の面内方向に沿って配置される。以下の説明においては、補強板３０において第１壁材２４の面内方向に沿った板片（第１壁材２４側の部分）、第２壁材２６の面内方向に沿った板片（第２壁材２６側の部分）をそれぞれ板片３０Ａ、板片３０Ｂと称することがある。
【００３３】
（固定部材）
固定部材４０は、図３（Ａ）、（Ｂ）に示すように補強板３０の板片３０Ａ、３０Ｂにそれぞれ溶接され、クランク状に折り曲げられた金物である。固定部材４０は、図４（Ａ）、（Ｂ）に示すように、補強板３０に溶接された固定部４２と、固定部４２から延出された引掛け部４４と、固定部４２と引掛け部４４とを芯ずれさせて連結するクランク部４６と、を備えている。引掛け部４４と補強板３０との間には係止溝４８が形成されており、また、引掛け部４４の先端には、補強板３０から離れる方向に折り曲げられた導入部４４Ａが形成されている。この導入部４４Ａに摺接しながら、後述する係止片５２が係止溝４８に導入される。
【００３４】
引掛け部４４及びクランク部４６は、クランク部４６の両端部（固定部４２側の端部４６Ａ、引掛け部４４側の端部４６Ｂ）を支点として弾性変形可能とされている。引掛け部４４及びクランク部４６は、端部４６Ａを支点に弾性変形することにより、図４（Ａ）に１点鎖線及び矢印Ｍ１で示すように係止溝４８を拡げるように弾性変形する。さらに端部４６Ｂを支点に弾性変形することにより、図４（Ａ）に２点鎖線及び矢印Ｍ２で示すように係止溝４８を拡げるように弾性変形する。
【００３５】
以下の説明においては図３（Ａ）に示すように、補強板３０の板片３０Ａ、板片３０Ｂに接合された固定部材４０を、それぞれ固定部材４０Ａ、４０Ｂと称することがある。
【００３６】
（係止片）
係止部材５０は、図５（Ａ）、（Ｂ）に示すように建物角部１０において建物躯体（梁１２）にボルト固定された曲げ金物である。
【００３７】
係止部材５０は、係止片５２と取付け部５４とを備えている。係止片５２はＬ字状に折り曲げられた平板状の折板であり、係止部材５０が梁１２に取付けられた状態で、面内方向が立面方向に沿うように、かつＬ字状に折り曲げられて形成された各板片が梁１２Ａ、１２Ｂの延設方向に沿うように配置される。なお、梁１２Ａ、１２Ｂの延設方向は、図１に示すように、第１壁材２４と第２壁材２６とが配置された状態で、第１壁材２４と第２壁材２６の面内方向に沿う方向である。以下の説明においては、係止片５２において第１壁材２４の面内方向に沿った板片（第１壁材２４側の板片）、第２壁材２６の面内方向に沿った板片（第２壁材２６側の板片）をそれぞれ板片５２Ａ、板片５２Ｂと称することがある。
【００３８】
取付け部５４は、係止片５２の端部から水平方向に向かって延出され、梁１２Ａ、１２Ｂにボルト固定される。以下の説明においては、梁１２Ａ、１２Ｂに固定される取付け部５４を、それぞれ取付け部５４Ａ、５４Ｂと称することがある。
【００３９】
係止部材５０は、梁１２の下フランジに取付けられる場合（図５（Ｂ）における上側の係止部材５０）は、取付け部５４が係止片５２の上側に位置するように配置される。一方で、梁１２の上フランジに取付けられる場合（図５（Ｂ）における下側の係止部材５０）は、取付け部５４が係止片５２の下側に位置するように配置される。
【００４０】
このように、係止部材５０は上下を裏返しても使用できるように、係止片５２及び取付け部５４の形状が調整されている。
【００４１】
係止部材５０の係止片５２には、図５（Ａ）、（Ｂ）の矢印Ｊで示すように、固定部材４０が上方向から係止される。このとき、図４に示す係止溝４８に係止片５２が勘合して、引掛け部４４が係止片５２に係止される。これにより、コーナー材２２が梁１２に固定される。
【００４２】
（作用・効果）
本実施形態に係る壁材の取付け構造によると、図３（Ａ）、（Ｂ）に示すように、コーナー材２２の裏面が補強板３０で補強されている。このため、補強板３０がない場合と比較して強度が大きい。
【００４３】
また、補強板３０は、図２（Ｃ）に示すように接着剤とＡＬＣビス３２を併用してコーナー材２２に接合される。このため、接着剤又はＡＬＣビス３２のいずれか一方のみで補強する場合と比較して、接合強度が高い。このため、コーナー材２２の寸法（図３（Ｂ）に示す幅Ｄ）が小さい場合においても、コーナー材２２の強度を高めやすい。
【００４４】
また、補強板３０は、コーナー材２２の裏面の全面に接着されている。これにより、例えば地震時において、図３（Ｂ）に矢印Ｔで示すような層間せん断力が建物からコーナー材２２に作用した場合、補強板３０がこの層間せん断力に抵抗することで、コーナー材２２の破損が抑制される。
【００４５】
また、本実施形態における固定部材４０は、図４（Ａ）に示すように補強板３０に固定された状態で引掛け部４４と補強板３０との間に係止溝４８を形成し、さらにクランク部４６の両端部（固定部４２側の端部４６Ａ、引掛け部４４側の端部４６Ｂ）が弾性変形可能とされている。
【００４６】
このため、図７（Ａ）に示すように、地震時に、建物が梁１２Ａに沿った方向（矢印Ｘ方向）の水平力を受けて変形した場合、固定部材４０Ａが係止片５２Ａ上をスライドし、かつ、固定部材４０Ｂが弾性変形することで、コーナー材２２が梁１２Ａに沿った方向に変位できる。
【００４７】
また、図７（Ｂ）に示すように、地震時に、建物が梁１２Ｂに沿った方向（矢印Ｙ方向）の水平力を受けて変形した場合、固定部材４０Ｂが係止片５２Ｂ上をスライドし、かつ、固定部材４０Ａが弾性変形することで、コーナー材２２が梁１２Ｂに沿った方向に変位できる。
【００４８】
なお、地震の規模が大きい場合、固定部材４０Ａ、４０Ｂの変形が弾性限界を超えて塑性変形することがある。このような場合においても、コーナー材２２は梁１２Ａ、１２Ｂに沿った方向に変位できる。
【００４９】
さらに、固定部材４０Ａ、４０Ｂにおいて係止片５２Ａ、５２Ｂが勘合している係止溝４８は下端部が開放されているため、コーナー材２２は上下方向にも動くことができる。
【００５０】
これにより、建物に作用した水平力がコーナー材２２に伝播することを抑制し、コーナー材２２の損傷が抑制される。
【００５１】
なお、本実施形態においては固定部材４０を係止片５２に係止させることのみによりコーナー材２２を梁１２に固定させたが、本発明の実施形態はこれに限らない。例えば固定部材４０を係止片５２に係止させることに加え、補強板３０の幅を大きく形成してコーナー材２２（端部材２２Ａ、２２Ｂ）の端面から梁１２Ａ、１２Ｂに沿った方向へ突出させ、この突出させた部分をビスを用いて係止片５２に固定してもよい。このビスは、所定のせん断力を受けて破断する強度とすることで、平常時におけるコーナー材２２の梁１２に対する固定度を高め、地震時におけるコーナー材２２の変位を妨げない。
【００５２】
なお、本実施形態においてコーナー材２２は、図２（Ａ）〜（Ｃ）に示すように、ＡＬＣパネル２１の両端部を切断した端部材２２Ａ、２２Ｂを接着して形成されているが、本発明の実施形態はこれに限らない。例えば予めコーナー材２２の形（Ｌ字型）に軽量気泡コンクリートを成型し、これを梁１２に取付けてもよい。このようにすれば、コーナー材２２の製造が容易である。
【００５３】
また、コーナー材２２の材質としては、例えばＥＣＰ（押出成形セメント板）や、天然石や人造石などの石材、窯業系又は金属系のサイディングなど、乾式工法で建物に取付けられる各種の材質を選択することができる。
【００５４】
さらに、コーナー材２２は外壁２０の一部とされているが、本発明の実施形態はこれに限らない。例えば建物屋内に配置された内壁の角部に用いてもよいし、建物の屋内外を問わず、独立柱（壁が接続されない柱）の角部に用いてもよい。すなわち、本発明における「建物角部」とは、建物における壁又は柱の出隅部全体を示す。
【００５５】
また、本実施形態において補強板３０は、コーナー材２２の裏面全面に接着されているが、本発明の実施形態はこれに限らない。例えば固定部材４０が取付けられたピッチが小さく、コーナー材２２に作用する層間せん断力が小さい場合などは、補強板３０は、コーナー材２２において固定部材４０が取付けられる部分のみ（図３（Ｂ）に示す領域Ｑ）を覆う大きさとし、この部分のみに接着する構成としてもよい。
【００５６】
また補強板３０は、接着剤とＡＬＣビス３２を併用してコーナー材２２に接合されているが、本発明の実施形態はこれに限らない。例えばコーナー材２２の寸法（図３（Ｂ）に示す幅Ｄ）が大きい場合、補強板３０とコーナー材２２との接触面積を大きくできるため、接着剤又はＡＬＣビス３２の何れかのみを用いても接合強度を得ることができる。
【００５７】
またＡＬＣビス３２は、コーナー材２２における端部材２２Ａ、２２Ｂそれぞれの外側（表面側）から打ち込まれているが、本発明の実施形態はこれに限らない。例えば図６（Ａ）に示すように、端部材２２Ａ、２２Ｂの内側（裏面側）から打ち込んでもよい。このようにすればビス頭３２Ａが外側から視認されないので、ビス頭３２Ａを隠蔽するためのコーナー材２２に対する加工（座繰りやモルタルでの埋め戻しなど）が不要となる。
【００５８】
また、本実施形態において固定部材４０は、図３（Ａ）、（Ｂ）に示すように補強板３０の板片３０Ａ、３０Ｂにそれぞれ溶接され、係止部材５０における係止片５２の板片５２Ａ、板片５２Ｂにそれぞれ係止されているが、本発明の実施形態はこれに限らない。例えば固定部材４０を補強板３０の板片３０Ａのみに溶接し、係止片５２の板片５２Ａのみに係止させてもよい。このようにすれば引掛け箇所数が減るので、施工が容易になる。
【００５９】
また、本実施形態において係止部材５０は、係止片５２から水平方向に延出された取付け部５４を用いて梁１２に固定されているが、本発明の実施形態はこれに限らない。例えば係止片５２に固定部材４０の引掛け部４４を係止できれば、取付け部５４の形状はどのような形状でもよい。また梁１２に対する固定方法についても、ボルトを用いず溶接などを用いて固定してもよい。
【００６０】
また、係止部材５０が固定される建物の部分は、Ｈ型鋼で形成された梁１２とされているが、本発明の実施形態はこれに限らない。例えばＲＣ、ＳＲＣ製の梁、各種構造形式の柱、構造体としての壁などの躯体であればよい。このように、本実施形態に係る壁材の取付け構造は様々な実施形態を適用することができる。
【符号の説明】
【００６１】
１０    建物角部
２２    コーナー材
２４    第１壁材
２６    第２壁材
３０    補強板
３０Ａ  板片（第１壁材側の部分）
３０Ｂ  板片（第２壁材側の部分）
４０    固定部材
４０Ａ  固定部材
４０Ｂ  固定部材
４２    固定部
４４    引掛け部
５２    係止片
５２Ａ  係止片
５２Ｂ  係止片
【図１】
2018119289.tif 000003
【図２】
2018119289.tif 000004
【図３】
2018119289.tif 000005
【図４】
2018119289.tif 000006
【図５】
2018119289.tif 000007
【図６】
2018119289.tif 000008
【図７】
2018119289.tif 000009